(57)【要約】【課題】配電盤内部の空気を自然通風可能で、かつ配電盤内部から外部の他の電気機器にいたる配線が配電盤に簡便に確りと固定される圧縮空気除湿装置の配電盤の配線処理構造を提供する。【解決手段】配電盤の配線処理構造は、配電盤２から他の電気機器にいたる配線１２を処理する配電盤２の配線処理構造であって、配電盤２の配線１２出口部の壁面構造が、所定の距離を隔てて対向する断面略Ｌ字状を呈するＬ字板６によってなされているとともに、少なくとも一方の該Ｌ字板６の鉛直部１９に複数の孔１０が断続的に形成され、該孔１０に通した固定具１３で配線１２を固定する。【選択図】図１
2008289230.tif 000002
【特許請求の範囲】
【請求項１】
配電盤から他の電気機器にいたる配線を処理する配電盤の配線処理構造であって、配電盤の配線出口部の壁面構造が、所定の距離を隔てて対向する断面略Ｌ字状を呈するＬ字板によってなされているとともに、少なくとも一方の該Ｌ字板の鉛直部に複数の孔が断続的に形成され、該孔に通した固定具で配線を固定することを特徴とする配電盤の配線処理構造。
【請求項２】
該孔がスリット形状であることを特徴とする請求項１に記載の配電盤の配線処理構造。
【請求項３】
前記多数の孔のうち、一部の孔に通した固定具で配線を固定することを特徴とする請求項１に記載の配電盤の配線処理構造。
【発明の詳細な説明】
【技術分野】
【０００１】
本発明は、各種電気機器を収容する圧縮空気除湿装置の配電盤に関するものである。
【背景技術】
【０００２】
工場などの現場では、エアコンプレッサ等から送出される圧縮空気を清浄化し、また除湿するために圧縮空気除湿装置が用いられている。圧縮空気除湿装置は、装置内部に電力を分配するための配電盤が備えられている。
【０００３】
配電盤には、各種電気機器が収容されており、作動に伴い発熱する。発熱により、配電盤内部の温度が上昇すると、電気機器が故障してしまう。
【０００４】
そのため、図３に示すように、通常、配電盤には、上部通風口３７と下部通風口３３とが備えられ、熱をおびた空気を、上部通風口３７の内側に備えられたファン（不図示）によって矢印の方向に強制的に通風している。しかし、ファンと、その稼働のための電力にはコストがかかる。
【０００５】
また、この配電盤では、配線１２が電気機器５からグロメット３５を通って、外部電源や他の電気機器等に接続されている。しかし、このような配電盤では、各貫通孔３１にグロメット３５を嵌め込み、そこへ配線１２を挿通する必要があり、作業に手間がかかる。また、貫通孔３１の数が限られているため、後に配線１２の本数が増えた場合、それに対応することができない。
【０００６】
また、この配電盤では、複数の配線１２が、固定具である結束バンド１３によって束ねられ、固定されている。しかし、このような固定方法では、配線１２を配電盤２に確りと固定することができない。そのため、配線１２が強い力で引っ張られると、配線１２と電気機器５との端子間の接触が悪くなり、最悪の場合には焼損事故が起きてしまう。
【０００７】
【特許文献１】特開平８−２８０１０４号公報
【発明の開示】
【発明が解決しようとする課題】
【０００８】
本発明は前記の課題を解決するためになされたもので、配電盤内部の空気を自然通風可能で、かつ配電盤内部から外部の他の電気機器にいたる配線が配電盤に簡便に確りと固定される圧縮空気除湿装置の配電盤の配線処理構造を提供することを目的とする。
【課題を解決するための手段】
【０００９】
前記の目的を達成するためになされた、特許請求の範囲の請求項１に記載された配電盤の配線処理構造は、配電盤から他の電気機器にいたる配線を処理する配電盤の配線処理構造であって、配電盤の配線出口部の壁面構造が、所定の距離を隔てて対向する断面略Ｌ字状を呈するＬ字板によってなされているとともに、少なくとも一方の該Ｌ字板の鉛直部に複数の孔が断続的に形成され、該孔に通した固定具で配線を固定することを特徴とする。
【００１０】
請求項２に記載された配電盤の配線処理構造は、請求項１に記載されたものであって、該孔がスリット形状であることを特徴とする。
【００１１】
請求項３に記載された配電盤の配線処理構造は、請求項１に記載されたものであって、前記多数の孔のうち、一部の孔に通した固定具で配線を固定することを特徴とする。
【発明の効果】
【００１２】
本発明の配電盤の配線処理構造では、その配電盤内部の電気機器に接続された配線を二枚のＬ字板の間に備えられた通風口に挿通でき、Ｌ字板の鉛直部に開けられた貫通孔に固定具を通すことにより、簡便に確りと固定することができる。したがって、配線が引っ張られて、配線と電気機器との端子間で接触不良を起こすことが無い。
【００１３】
また、本発明の配電盤の配線処理構造では、通風口が多数の配線を挿通可能な大きさを有し、Ｌ字板の鉛直部が多数の配線を固定可能な数の貫通孔を備えているため、後に配線の本数が増えた場合であっても、それに対応することができる。
【００１４】
また、本発明の配電盤の配線処理構造では、その配電盤内部の空気が通風口を通って自然通風するので、内部に熱がこもらない。したがって、配電盤に備えられた電気機器は、配電盤内部の温度上昇によって故障を起こすことが無い。
【発明を実施するための好ましい形態】
【００１５】
以下、本発明の実施例を詳細に説明するが、本発明の範囲はこれらの実施例に限定されるものではない。
【００１６】
本発明を適用する配線処理構造の配電盤を備えた圧縮空気除湿装置の一実施形態の斜視図が図２に示されている。図１は、その配電盤の要部斜視図である。
【００１７】
図２に示すように、圧縮空気除湿装置には、主に熱交換器１５，冷媒圧縮機１７，冷媒凝縮器１８及び配電盤２が備えられている。
【００１８】
配電盤２は、配線１２を介して熱交換器１５，冷媒圧縮機１７，冷媒凝縮器１８及び外部電源（不図示）に接続されている。
【００１９】
図１に示すように、配電盤２には、インバータ５が備えられている。
【００２０】
配電盤２の底部には、所定の距離ｄをおいて二枚のＬ字板６が備えられている。二枚のＬ字板６の間には、通風口１１が備えられている。また、配電盤２の上部には、上部通風口３７が備えられている。また、Ｌ字板６の鉛直部１９には、多数のスリット形状の貫通孔１０が断続して開けられている。
【００２１】
インバータ５から他の各電気機器１５，１７，１８及び外部電源にいたる配線１２は、通風口１１に挿通されている。各配線１２は、貫通孔１０を通った固定具である結束バンド１３によって確りと固定されている。
【００２２】
この配電盤の配線処理方法を図１を参照して、説明する。
【００２３】
インバータ５に繋がる配線１２を通風口１１に挿通する。貫通孔１０の一部に結束バンド１３を通す。貫通孔１０に通した結束バンド１３によって、各配線１２を確りと固定する。
【００２４】
この配電盤の通風方法を図１を参照して、説明する。
【００２５】
圧縮空気除湿装置を稼働させると、配電盤２内において、インバータ５は作動に伴って発熱する。熱をおびた空気は、大部分が通風口１１を通って配電盤２外に自然通風する。また、熱をおびた空気は、上部通風口３７を通って自然通風する。したがって、配電盤２内に熱がこもらない。
【００２６】
また、上部通風口３７の内側にファンが備えられていてもよい。これにより、熱をおびた空気を、ファンによって強制的に、より十分に通風することができる。
【産業上の利用可能性】
【００２７】
本発明を適用する配線処理構造を有する圧縮空気除湿装置の配電盤は、その内部の電気機器から外部の他の電気機器等にいたる配線を挿通するためにグロメットを必要としない。また、配電盤は、その内部の空気を通風するためにファンを必要としない。したがって、これらにかかるコストを削減することができる。
【図面の簡単な説明】
【００２８】
【図１】本発明を適用する配線処理構造を有する圧縮空気除湿装置の配電盤を示す要部斜視図である。
【図２】本発明を適用する配線処理構造の配電盤を備えた圧縮空気除湿装置を示す斜視図である。
【図３】従来の圧縮空気除湿装置の配電盤を示す要部斜視図である。
【符号の説明】
【００２９】
２は配電盤、５はインバータ、６はＬ字板、１０は貫通孔、１１は通風口、１２は配線、１３は結束バンド、１５は熱交換器、１７は冷媒圧縮機、１８は冷媒凝縮機、１９は鉛直部、３１は貫通孔、３３は下部通風口、３５はグロメット、３７は上部通風口、ｄは距離である。
【図１】
2008289230.tif 000003
【図２】
2008289230.tif 000004
【図３】
2008289230.tif 000005